(57)【特許請求の範囲】
【請求項１】
中央部に開口部を設けたルーバー係止板と、
前記開口部の内側に設けた凹部と、
板状の本体部とこの本体部の両端に設けた突出部とで構成され、前記突出部を前記凹部に差し込むルーバー板と、
前記突出部を箱体の板面との間で挟持する固定板と、
を備えたことを特徴とする金属閉鎖形スイッチギヤの換気装置。
【請求項２】
前記ルーバー板を縦配置としたことを特徴とする請求項１に記載の金属閉鎖形スイッチギヤの換気装置。
【請求項３】
前記ルーバー板の内側に移動自在のフィルターを設けたことを特徴とする請求項１または請求項２に記載の金属閉鎖形スイッチギヤの換気装置。
【請求項４】
前記突出部の板厚を前記本体部よりも薄くしたことを特徴とする請求項１乃至請求項３のいずれか１項に記載の金属閉鎖形スイッチギヤの換気装置。
【請求項５】
前記ルーバー板を正面扉に設けたことを特徴とする請求項１乃至請求項４いずれか１項に記載の金属閉鎖形スイッチギヤの換気装置。
【発明の詳細な説明】
【技術分野】
【０００１】
本発明の実施形態は、組立方法の改善を図った金属閉鎖形スイッチギヤの換気装置に関する。
【背景技術】
【０００２】
従来、金属閉鎖形スイッチギヤには、正面扉や背面扉などに外気を取り入れる換気口が設けられ、箱体内の換気が行われている（例えば、特許文献１参照）。
【０００３】
この種の換気装置を図５、図６を参照して説明する。図５に示すように、箱体１の正面扉２には、下部側に自然換気を行う換気装置３が設けられている。換気装置３には、図６に示すように、ロ字状の固定枠４の中に、複数枚のルーバー板５が縦配置で設けられ、上部と下部の端部６が溶接で固定されている。ルーバー板５は、複数枚が縦方向に一列配置され、それぞれが奥行き方向に対し、斜めに配置されている。固定枠４には、上下部にＬ字状の第１の固定板７と第２の固定板８、箱体１側にロ字状の第３の固定板９がボルトなどで固定され、図示しない正面扉２の換気口を囲むように固定されている。
【０００４】
このような換気装置３においては、複数枚のルーバー板５を固定枠４に溶接で固定したり、第１〜第３の固定板７〜９をボルトなどで固定したりしなければならず、製造工程が多く、また、部品点数も多いものであった。このため、溶接工程などを不要とし、簡素な組立方法で部品点数の削減を図れるものが望まれていた。特に、溶接工程では、溶接個所が変色を起こすので、塗装作業などが必要となり、工数が増していた。
【先行技術文献】
【特許文献】
【０００５】
【特許文献１】特開２０１１−７２１４６号公報
【発明の概要】
【発明が解決しようとする課題】
【０００６】
本発明が解決しようとする課題は、ルーバー板５の固定に溶接工程を不要とし、簡素な組立方法で部品点数の削減を図れることができる金属閉鎖形スイッチギヤの換気装置を提供することにある。
【課題を解決するための手段】
【０００７】
上記課題を解決するために、実施形態の金属閉鎖形スイッチギヤの換気装置は、中央部に開口部を設けたルーバー係止板と、前記開口部の内側に設けた凹部と、板状の本体部とこの本体部の両端に設けた突出部とで構成され、前記突出部を前記凹部に差し込むルーバー板と、前記突出部を箱体の板面との間で挟持する固定板と、を備えたことを特徴とする。
【図面の簡単な説明】
【０００８】
【図１】本発明の実施例１に係る金属閉鎖形スイッチギヤの換気装置の構成を示す図。
【図２】本発明の実施例１に係る金属閉鎖形スイッチギヤの換気装置の構成部品を示す正面図。
【図３】本発明の実施例１に係る金属閉鎖形スイッチギヤの換気装置の動作を説明する上面図。
【図４】本発明の実施例２に係る金属閉鎖形スイッチギヤの換気装置の構成を示す上面図。
【図５】金属閉鎖形スイッチギヤの換気装置を示す斜視図。
【図６】従来の金属閉鎖形スイッチギヤの換気装置の構成を示す斜視図。
【発明を実施するための形態】
【０００９】
以下、図面を参照して本発明の実施例を説明する。
【実施例１】
【００１０】
先ず、本発明の実施例１に係る金属閉鎖形スイッチギヤの換気装置を図１〜図３を参照して説明する。図１は、本発明の実施例１に係る金属閉鎖形スイッチギヤの換気装置の構成を示す図であり、（ａ）は、上面図、（ｂ）は、正面図、図２は、本発明の実施例１に係る金属閉鎖形スイッチギヤの換気装置の構成部品を示す正面図であり、（ａ）は、ルーバー板、（ｂ）は、ルーバー係止板、図３は、本発明の実施例１に係る金属閉鎖形スイッチギヤの換気装置の動作を説明する上面図である。なお、従来と同様の構成部分は、同一符号を付した。また、換気装置は、従来と同様に正面扉に設けている。
【００１１】
図１に示すように、換気装置３には、板状のルーバー係止板１０に複数枚のルーバー板１１が縦配置で固定されている。組立方法は、後述する。ルーバー板１１の端部は、正面扉２と、箱体の内側で上部と下部に設けられたＬ字状の固定板１２間に挟持され、図示しないボルトで正面扉２に固定されている。ルーバー係止板１０の両側も図示しないボルトで固定されている。図中の丸印は、ボルト貫通孔を示している。複数枚のルーバー板１１は、正面扉２の換気口に対向配置されている。
【００１２】
次に、ルーバー係止板１０とルーバー板１１の組立方法を図２、図３を参照して説明する。
【００１３】
図２（ｂ）に示すように、ルーバー係止板１０には、中央部に矩形状に開口した開口部１０ａが設けられている。開口部１０ａには、内側の上部と下部に窪みが向かい合った複数の一対の凹部１０ｂが設けられている。凹部１０ｂは、ルーバー板１１に対応している。ルーバー板１１は、図２（ａ）に示すように、板状の本体部１１ａと、本体部１１ａの両端であって、本体部１１ａの幅方向に突出した一対の突出部１１ｂで構成されている。突出部１１ｂは、数１０度曲折しており、凹部１０ｂに斜めに差し込まれる。そして、図３に示すように、凹部１０ｂの側方向から突出部１１ｂを差し込み、突出部１１ｂを正面扉２とルーバー係止板１０を介した固定板１２間で挟持し、ルーバー板１１を固定するものである。点線で示した状態が通常時であり、本体部１１ａと突出部１１ｂの境界部で曲折し、本体部１１ａが斜め配置となり、隣接した本体部１１ａ間に形成された開放部で換気が行われるようになっている。
【００１４】
これにより、ルーバー板１１の固定において、従来のような溶接工程が不要となり、短時間で換気装置３を組立てることができる。一対の凹部１０ｂ間の距離よりも、一対の突出部１１ｂ間の距離を僅かに短く、また、突出部１１ｂの長さを本体部１１ａの幅程度に製作しておけば、凹部１０ｂに突出部１１ｂを差し込むことが容易で、一旦、差し込むと突出部１１ｂの端部が凹部１０ｂの底部に接触して引掛り抜け難くなり、組立作業を容易とすることができる。
【００１５】
なお、内部アークが発生して圧力上昇が起きた場合には、図３の二点鎖線で示すように、本体部１１ａが正面扉２方向に押されて曲折部分が平行となって換気口を塞ぎ、高温ガスが外部に噴出することを防ぐことができる。突出部１１ｂの厚さを本体部１１ａよりも薄くしておけば、圧力上昇時に換気口を塞ぐ反応が早くなる。このようなものは、点検通路が位置する正面扉２の換気装置３において効果が大きいものとなる。
【００１６】
上記実施例１の金属閉鎖形スイッチギヤの換気装置によれば、複数枚のルーバー板１１の突出部１１ｂをルーバー係止板１０の凹部１０ｂに差し込み、固定板１２を介して正面扉２に固定するようにしているので、従来のような溶接工程が不要となり、簡素な組立方法で部品点数の削減を図れることができる。
【００１７】
上記実施例１では、換気装置３を正面扉１に設けて説明したが、背面扉や箱体の側面などの換気口を有する板面に設けることができる。また、ルーバー板１１を縦配置で説明したが、横配置や斜め配置で設けることができる。縦配置では、盤幅全体に換気装置を設けることができるので、換気効率を向上させることができる。
【実施例２】
【００１８】
次に、本発明の実施例２に係る金属閉鎖形スイッチギヤの換気装置を図４を参照して説明する。図４は、本発明の実施例２に係る金属閉鎖形スイッチギヤの換気装置の構成を示す上面図である。なお、この実施例２が実施例１と異なる点は、フィルターを設けたことである。図４において、実施例１と同様の構成部分においては、同一符号を付し、その詳細な説明を省略する。
【００１９】
図４に示すように、ルーバー係止板１０の四隅には、スタッド１３を固定し、スタッド１３にフィルター１４を貫通させ、奥行き方向に移動自在に固定している。
【００２０】
上記実施例２の金属閉鎖形スイッチギヤの換気装置によれば、実施例１による効果のほかに、通常時にはフィルター１４を介して換気するものの、内部圧力上昇時にはフィルター１３全体で応力を受けて速やかにルーバー板１１の曲折を戻し、換気口を塞ぐことができるようになる。
【００２１】
以上述べたような実施形態によれば、従来のような溶接工程が不要なり、組立方法が容易で部品点数の削減を図った換気装置を提供することができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  正面扉
３  換気装置
５、１１  ルーバー板
１１ａ  本体部
１１ｂ  突出部
１０  ルーバー係止板
１０ｂ  凹部
１２  固定板
１４  フィルター
【図１】
0006340311.tif 000002
【図２】
0006340311.tif 000003
【図３】
0006340311.tif 000004
【図４】
0006340311.tif 000005
【図５】
0006340311.tif 000006
【図６】
0006340311.tif 000007